(57)【要約】【課題】携帯端末の形状等が異なっても、携帯端末４と携帯端末ケース３等とを一体に囲み使用しつづけることが出来る携帯端末用カバーを提供する。【解決手段】折り畳み自在の材料で構成された携帯端末用カバー本体部１と、前記携帯端末用カバー本体部１に装着されたバンド部２とを有し、携帯端末４と該携帯端末４が装着される固定具との間に前記バンド部２を挟むことを特徴とする携帯端末用カバー。バンド部を介して、携帯端末ケース３等と携帯端末４を携帯端末用カバー本体部１に簡単に何度も固定、着脱させることを可能とした。また、バンド部により携帯端末用カバー本体部１にカメラホールを設置しなくても、携帯端末４を携帯端末用カバーに装着したまま外さず撮影することを可能にさせた。【選択図】図４
2018046540.tif 000002
【特許請求の範囲】
【請求項１】
折り畳み自在の材料で構成されたカバー本体部と、前記カバー本体部に装着されたバンド部とを有し、携帯端末と該携帯端末が固定される固定具との間に前記バンド部を挟むことを特徴とする携帯端末用カバー。
【請求項２】
前記バンド部はゴムから構成されていることを特徴とする請求項１記載の携帯端末用カバー。
【請求項３】
前記バンド部は布から構成されていることを特徴とする請求項１記載の携帯端末用カバー。
【請求項４】
前記バンド部は輪状に形成されていることを特徴とする請求項１乃至３いずれかに記載の携帯端末用カバー。
【請求項５】
前記カバー本体部には孔が形成され、前記バンド部は前記孔に挿入されていることを特徴とする請求項４記載の携帯端末用カバー。
【請求項６】
前記カバー本体部と前記固定部とは相対的に移動自在とし、前記携帯端末に設けられたカメラホールが濾出可能とした請求項１乃至５いずれか記載の携帯端末用カバー。
【請求項７】
前記カバー本体部は変形自在とし、前記携帯端末に設けられたカメラホールが濾出可能とした請求項１乃至５いずれか記載の携帯端末用カバー。
【請求項８】
前記カバー本体部は、複数の携帯端末が装着可能であるように構成されている請求項1乃至７いずれか記載の携帯端末用カバー。
【発明の詳細な説明】
【技術分野】
【０００１】
本発明は、携帯端末用のカバーに関する。
【背景技術】
【０００２】
携帯端末には、携帯端末用カバーが多く使われ、主なものは、ソフトケースやハードケース等のケース型と手帳型等である。手帳型には、例えば、下記特許文献１等がある。
【先行技術文献】
【特許文献】
【０００３】
【特許文献１】実用新案登録第３１９７７０９号公報
【特許文献２】実用新案登録第３１７７６４７号公報
【発明の概要】
【発明が解決しようとする課題】
【０００４】
上記種々の携帯端末用カバーは同じ形状の携帯端末にしか使用出来ないことが多いという問題があった。
【課題を解決するための手段】
【０００５】
以上のような課題を解決するための手段として本発明は、折り畳み自在の材料で構成された携帯端末用カバー本体部と、前記携帯端末用カバー本体部に装着されたバンド部を有し、携帯端末と該携帯端末が着脱可能に装着される携帯端末ケースや固定具等との間に前記バンド部を挟むことを特徴とする携帯端末用カバーである。バンド部を介して、携帯端末用カバー本体部から携帯端末と携帯端末ケース等の固定と着脱を可能にさせた。また、バンド部によって携帯端末用カバー本体部にカメラホールを設置しなくても、携帯端末を携帯端末用カバー本体部に装着したまま外さず撮影することを可能にさせた。
なお、固定具とは、特許請求の範囲に記載された文言も含めて、携帯端末のみならず、少なくとも一部を抱えて携帯端末を固定するものをいう。
【発明の効果】
【０００６】
本発明によれば、携帯端末の大きさ、操作ボタン、カメラ位置等の形状が異なっても、携帯端末と携帯端末ケース等を一体に囲み使用しつづけることが出来る。
【図面の簡単な説明】
【０００７】
【図１】本発明の実施例１に係る携帯端末用カバーの内側斜視図である。
【図２】実施例１に係る携帯端末用カバーバンド部の断面図である。
【図３】実施例１に係る携帯端末用カバーの使用状態を示す内側斜視図である。
【図４】実施例１に係る携帯端末用カバーの使用状態を示す内側斜視図である。
【図５】実施例１に係る携帯端末用カバーを閉じた状態を示す外側斜視図である。
【図６】実施例２に係る携帯端末用カバーの使用状態を示す内側斜視図である。
【図７】実施例３に係る携帯端末用カバーの使用状態を示す内側斜視図である。
【図８】実施例４に係る携帯端末用カバーの使用状態を示す内側斜視図である。
【図９】実施例４に係る携帯端末用カバーのケースを装着した使用状態を示す内側斜視図である。
【図１０】実施例５に係る携帯端末用カバーの使用状態を示す内側斜視図である。
【発明を実施するための形態】
【０００８】
この発明を実施例により以下に説明するが、これらの実施例によりこの発明が限定されるものではない。
【０００９】
図１は、本発明の実施例１、手帳横型の携帯端末用カバー本体部１の見開き図を示した。
携帯端末用カバー本体部１には、内側左面１−１、内側右面１−２、留め部１−３等があり、折り畳み携帯端末用カバーとして使用する。内側右面１−２を携帯端末の装着部とし、装着部には、携帯端末ケース３等と携帯端末４（図４参照）を携帯端末用カバー本体部１に装着するためのバンド部２を備えている。バンド部２は、携帯端末４の電源ボタン等各操作装置等にかからない位置に設置することが好ましいが、それらの機能を害するおそれがない場合はそれらにかかる位置に設置してもよい。なお、面ファスナー５は外側背面１−５にもあり、携帯端末用カバー本体部１を閉じる時に貼り合わせて使用する。本体カメラホール６、バンド部２を挿通させるバンドホール８を設けている。内側右面１−２を携帯端末の装着部とし、携帯端末の長辺を軸に左開きとしたが、内側左面１−１を装着部とした右開きにしてもよい。また、装着部はバンドホール８なしでのバンド部２の設置でもよい。これらは、後述する他の実施例においても同様である。以後、共通する部分については、図面に同一番号を付して省略する。
【００１０】
携帯端末用カバー本体部１の素材は、例えば、ゴム、シリコン、布、皮革、合成皮革、合成樹脂、金属等のいずれかひとつ、あるいは、それらの組み合わせ等である。バンド部２や後記バンド部２−１（図８参照）は、携帯端末ケース３等と携帯端末４の間に挟めるもの（図２参照）、素材は、例えば、ゴム、シリコン、布、ひも、テープ、皮革、合成皮革、合成樹脂、金属等のいずれかひとつ、あるいは、それらの組み合わせ等である。バンド部２は、複数の素材を組み合わせてもよく、例えばカバー本体部１側を布で形成し、この布の部分をゴムで接続するようにしてもよい。これらは、後述する他の実施例においても同様である。
【００１１】
図２は、携帯端末用カバー本体部１のバンド部２の部分断面図を示した。後記の図４のＡＡ’箇所の断面図である（図４参照）。バンド部２は、携帯端末ケース３等を包みこむ形状に構成され、携帯端末ケース３等と携帯端末４の間に挟まれている。携帯端末ケース３等と携帯端末４は、バンド部２により携帯端末用カバー本体部１に固定され、一体となり保持される。携帯端末カバー内側部１−１００と携帯端末カバー外側部１−２００と芯材７等を設置し、それぞれ周囲や面同士等で固定されている。携帯端末カバー内側部１−１００にバンドホール８が形成されており、そこにバンド部２が挿通されている。バンド部２は、両端を合わせ固定されており、さらに芯材７等に複数箇所固定している。バンド部同士や、バンド部を携帯端末用カバー本体部１や装着部や芯材７等へ固定方法は、例えば、縫合、接着、粘着、溶接、接合、結合、係合、留め具、固定器具等のいずれかひとつ、あるいは、それらの組み合わせ等であり、複数箇所固定してもよい。また、バンド部２は、固着、固定、着脱自在の固定でもよい。芯材７等には携帯端末カバー内側部１−１００や携帯端末カバー外側部１−２００上にバンド部２の固定箇所を出さないように美観を保ち、また外部から受ける力に対して保護する等の効果がある。これらは、後述する他の実施例においても同様である。
【００１２】
図３は、前記図１に携帯端末ケース３等を装着した見開き図を示した。携帯端末ケース３は、一般的に市販されているソフトやハードケース等及び携帯端末の固定具等である。まず先に、携帯端末ケース３等を携帯端末用カバー本体部１に装着する。装着部の内側右面１−２のバンド部２の輪の内側に携帯端末ケース３等を差し込む。この時、携帯端末ケース３等の外側にバンド部２がくる。取付け時に、本体カメラホール６とケースカメラホール６−１の位置を合わせる。
【００１３】
図４は、前記図３に携帯端末４を装着した見開き図を示した。次に、前記図３の携帯端末ケース３等とバンド部２の上から携帯端末４を嵌め込む。通常装着する様に、携帯端末４を携帯端末ケース３等に嵌めると、バンド部２が携帯端末ケース３等と携帯端末４の間に挟まれて、携帯端末４の下を通る。したがって、バンド部２が携帯端末４のタッチパネル画面にかかることなく、邪魔せず操作可能となる。携帯端末４の取り付け時、挟まれたバンド部が携帯端末４の側面や背面等に押されて固定され、携帯端末用カバー本体部１との一体性が確実となる。携帯端末ケース３等は、接着や粘着等で携帯端末用カバー本体部１に固定させていないため、このバンド部を介して、携帯端末用カバー本体部１から携帯端末ケース３等と携帯端末４を簡単に何度も着脱させることが可能となる。着脱自在なので、携帯端末４は、携帯端末ケース３等に装着させるケース型、さらに、携帯端末用カバー本体部１に装着させる手帳型、２通り等での使用を簡単に可能とした。また、様々な機種の携帯端末の大きさ、操作ボタン、カメラ位置等の異なる形状等にも対応出来、本発明の携帯端末用カバーを使用し続けることが出来る。
また、携帯端末の大きさや厚さが変わった場合でもバンド部により固定具に装着することができる限り対応することができ、ユニバーサルとすることができる。
【実施例１】
【００１４】
図５は、実施例１の携帯端末用カバー本体部１を閉じた図を示している。装着部の他面を折り返して閉じる。内側右面１−２上に留め部１−３を折り、その上から内側左面１−１をかぶせて折り畳み、面ファスナー５等の留め具で閉じた。留め部１−３が内側へ入り、外側背面１−５上にかからないので、外側背面１−５全面に装飾がしやすくなる。閉じる方法はこれに限らない。
【実施例２】
【００１５】
図６は、本発明の実施例２、手帳縦型の携帯端末用カバー本体部１の見開き図を示した。実施例１を縦型にした形状で上下方向に折り畳まれる。内側下面１−７を装着部とし携帯端末の短辺を軸に上開きとしたが、内側上面１−６を装着部とした下開きにしてもよい。内側下面１−７には、折り曲げ部１−８が形成されている。この折り曲げ部１−８は、前述したカメラホールよりも下方に形成され、カメラの使用時には、折り曲げ部１−８から内側下面１−７を折ることによりカメラホールが露出し、撮影が可能となる（図７参照）。折り曲げ部１−８は、携帯端末４の上部全体を折り曲げるようにしてもよいし、一部のみ折り曲げるようにしてもよい。なお、内側下面１−７が布等の柔らかい材料の場合は、折り曲げ部１−８は不要である。
【実施例３】
【００１６】
図７は、本発明の実施例３、前記図６手帳縦型の携帯端末用カバー本体部１のカメラの使用例を示した。携帯端末用カバー本体部１に本体カメラホール６を設置しなくても、携帯端末用カバー本体部１に携帯端末ケース３等と携帯端末４を装着したまま外さず撮影が可能である。装着部の前記図６の折り曲げ部１−８を後ろに折り曲げると、本体カメラホール６がなくても携帯端末用カバー本体部１からケースカメラホール６−１と携帯端末４のカメラ部を簡単に出すことが出来そのまま撮影出来る。本体カメラホール６を設置せず携帯端末用カバー本体部１の携帯端末４のカメラ部分は折り曲がるようにしておく。前記図４手帳横型でも同様に、携帯端末用カバー本体部１の上部を後ろに折り返すだけで撮影出来る。
また、他の方法として、前記図４の手帳横型で本体カメラホール６を設けず、携帯端末４を嵌めた携帯端末ケース３等を下から親指等で押し上げるとバンド部２が伸縮し、携帯端末４が上へスライドし、図７と同様に携帯端末用カバー本体部１の上部外にケースカメラホール６−１と携帯端末４のカメラ部が出て撮影可能となる。前記図６の手帳縦型でも、装着部の内側下面１−７と内側上面１−６の間で後ろに折り曲げ、または、装着部を内側上面１−６として、面ファスナー５を裏面にして、同様に携帯端末４を押し上げ撮影出来る。バンド部や携帯端末用カバー本体部１の素材等により、いずれかの方法で使用出来、様々な機種の異なるカメラの形や位置等にも対応可能とさせた。本発明は、携帯端末ケース３等を携帯端末カバー本体部１に接着や粘着等で固定させていないため、携帯端末カバー本体部１に覆われている携帯端末４のカメラ部を携帯端末用カバー本体部１の外に出し撮影したい時、携帯端末用カバー本体部１の携帯端末４のカメラ部を折り曲げ部１−８を介して折り返したり、携帯端末ケース３等を下から押し上げスライドさせる事が可能となる。また、携帯端末用カバー本体部１に本体カメラホール６を開けないため、携帯端末４のカメラレンズが覆われ、カメラレンズの汚れ防止や保護等の効果も可能とした。
【実施例４】
【００１７】
図８は、本発明の実施例４、前記実施例のバンド部２を変更した見開き図を示した。バンド部２−１は、バンド部２と形状等は異なるが、素材例や固定方法等は、上記実施例のバンド部２と同様である。バンドホール８は設置せず、バンド部２−１の左右それぞれ内側のみ固定部９で直接固定させたが、左右２枚を合わせ１枚にし、中心等を固定部９で固定でもよい。また、バンド部２−１をバンド部２にしたり、バンド部２とバンド部２−１の組み合わせ等の設置でもよい（図１０参照）。図８のバンド部２−１は、携帯端末の長辺の左右で携帯端末を保持したが、短辺の上下や上下左右のいずれかひとつ、あるいは、それらの組み合わせ複数箇所等での設置でもよい。留め部１−３を一部分のみとした。なお、図８ではバンド部２−１を二枚で構成しているが、一枚で構成するようにしてもよい。また、２枚のバンド部２の大きさ、位置等はそれぞれ異なるようにしてもよい。
【００１８】
図９は、前記図８に携帯端末ケース３等を装着した見開き図を示した。前記図８のバンド部２−１を立ち上げ携帯端末ケース３等に合わせながら被せ、上から携帯端末４を嵌め込む。前記実施例では、バンド部２が携帯端末ケース３等の全体を包みこんでいたが、図９では、バンド部２−１が携帯端末ケース３等の周囲を部分的に抱えこむ構造となる。バンド部２−１でも、他の実施例のバンド部２と同じ効果が可能で、携帯端末４の大きさ等の形状等が異なっても対応出来る。
【実施例５】
【００１９】
図１０は、実施例５に係る携帯端末用カバーを示す。この実施例５においては、内側左面１−１にもバンド部２を設け、２台の携帯端末を携帯端末用カバー本体部１に装着できるようにしたものである。この実施形態５においては、内側左面１−１と内側右面１−２に携帯端末を装着できるようにしているが、例えば内側左面１−１又は内側右面１−２の両側にバンド部２を設け、両面に携帯端末を装着できるようにしてもよい。
【変形例】
【００２０】
以上、本発明の実施例を説明したが、本発明はこのような実施の形態になんら限定されるものではなく、その要旨を逸脱しない範囲内において種々なる態様での実施が可能である。例えば、以下のような変形が可能である。
【００２１】
上記実施例の携帯端末用カバー本体部１の外面や内面に様々な模様や装飾や機能等を施すことが出来る。例えば、ポケット、画面保護や汚れ防止、汚れ拭き等を設置したり、携帯端末用カバー本体部１等に機能させてもよい。
上記実施例では、携帯端末用カバー本体部１は、横型の左右開きや縦型の上下開きとしたが、例えば、装着部のみ、複数面、二つ折り、複数折り等や、留め部１−３なしでもよい。他にも、携帯端末用カバー本体部１は平面としたが、例えば、立体や変形や装飾等のものを携帯端末用カバー本体部１とし、バンド部やバンド部設置の装着部等を設置することも出来、携帯端末用カバー本体部１等の形状等は、例えば、動物、食物、乗物等、ぬいぐるみ等でもよい。また、大きさや形の形状等を変えたバンド部設置の装着部や芯材７等を携帯端末カバー内側部１−１００上等に固定等させてもよい。
上記実施例では、携帯端末用カバーとしたが、タブレット型端末等に適用してもよい。
【００２２】
上記実施例では、バンド部は各図のようにしたが、本発明はこれに限られない。バンド部は何本、何枚、何重、直線、曲線、変形、模様、装飾等にしてもよく、縦、横、斜め、平行、交差等、あるいはいずれかの組み合わせ等で設置でもよい。例えば、バンド部は、携帯端末の上辺、下辺から側面へ斜めに２隅で平行、縦と横、斜め同士のクロス状等、またそれらの組み合わせ等の設置でもよい。例えば、上記実施例では、バンド部２は２本だったが、１本のバンド部を装着部で横に平行に通し、裏や内側等で交差させ固定等でもよい。他にも、バンド部等と携帯端末用カバー本体部１や装着部等を同素材等にし、一体として形成したり、携帯端末用カバー本体部１や装着部等の一部をバンド部にしてもよい。例えば、装着部の携帯端末カバー内側部１−１００等にバンド部の幅と同じになる、横に平行の２本の切り込みを入れる等にし、その箇所を手前に引き出してバンド部２としてもよい。また、横に幅広の平行の２本とその中心で縦に１本の切り込み等を入れ、前記図８のバンド部２−１のように左右２枚にし同様に手前に出して、前記図９のように使用してもよく、バンド部は、上記以外の方法や形状等にしてもよい。
【００２３】
上記実施例では、装着部とバンド部は各図のようにしたが、例えば、装着部と他面の２面等にバンド部を設け、他面を後ろに折り返しバンド部に手を入れ落下防止バンド等や、他面も装着部の２面とし、間に画面保護等を設置し、携帯端末等を複数台等装着してもよい。他にも、例えば、バンド部を複数、複数種等設けておき携帯端末等に合わせてバンド部を選んで使用してもよい。また、バンド部や携帯端末用カバー本体部１等に長さ調節可能の留め具等を設け、携帯端末４の形状等によってバンド部の長さを調節用留め具等で調節させ使用してもよい。バンド部で携帯端末の左右部と上下部等のいづれか、または数箇所等で固定させたり、バンド部を大きくし３箇所等で固定させ1枚のポケット状にしてもよい。
【００２４】
上記実施例では、バンド部を上記のようにしたが、全体が連続的でも途切れていてもよい。例えば、輪等にする時は、バンド部の両端を重ねたり、並べ合わせたり、離したり、端の距離を変えて固定等でもよい。また、バンド部は継ぎ目のないリング形状等でもよい。バンド部は、バンドホール８に通さなくてもよく、バンド部の一端を芯材７や携帯端末用カバー本体部１等に固定したり、またバンド部を輪状に形成した場合は固定させてもしなくてもよい。例えば、バンド部を、携帯端末用カバー本体部１や装着部等に、固定器具等で着脱自在に固定してもよい。例えば、バンド部をバンドホール８に通しただけで輪にせず、固定部９等で固定せずに前記図９のように携帯端末４を嵌め使用することも出来る。他にも、例えば、バンドホール８を設置せず、バンド部の上からシートや布や芯材７等に接着や粘着材や縫合等で貼り付け、装着部にバンド部を固定させてもよい。
上記実施例では、バンド部は携帯端末ケース３等の周囲を囲んだり、底面まで入る構造にしたりしたが、例えば、一部分、縁、側面等だけ入るようにしてもよい。例えば、形状等に合わせ折り曲がる金属等の固定具等や突起状等をバンド部とし、携帯端末ケース３等の一部分や縁等を留めてもよい。また、例えば、携帯端末ケース３等の背面等にもバンド部ホール８を設置し、携帯端末ケース３等にバンド部２を挿通させ、携帯端末用カバー本体部１に留めてもよい。
【００２５】
上記実施例では、携帯端末用カバー本体部１を閉じる方法として面ファスナー５としたが、他の閉じ方や様々な留め具等にしてもよい。また、留め具等を設置しなくてもよい。
上記実施例では、芯材７等や携帯端末カバー外側部１−２００を設置したが設置せず、また、それらを携帯端末カバー内側部１−１００等と固定させてもしなくてもよい。他にも、芯材７等は、大きさや形や設置位置等を変えたり、バンド部を設置し装着部上等に固定したりしてもよい。芯材７等は、各面の間や折り曲げる箇所等には設けなくてもよい。
【００２６】
上記実施例では、バンドホール８は、携帯端末カバー内側部１−１００のみや設置しないとしたが、携帯端末カバー外側部１−２００等まで開けバンド部を通してもよい。バンドホール８は、何箇所、様々な形状、どの位置に設けてもよく、また、バンド部を数箇所等に通してもよい。バンドホール８の形状は、例えば、円状や、直線や曲線等、またはそれらの組み合わせ等でもよく、他に、上記図１のようにバンド部を横の設置時は上下に縦へ、縦の設置時は左右に横へと大きく開けてもよく、バンド部やバンド部設置の装着部等を輪にし通して、位置を上下や左右に可動させ、可動可能の留め具や付け外せる固定器具等で使用したい位置に留める等にしてもよい。また、バンドホール８なしでバンド部やバンド部設置の装着部等を上記の方法で可動させたり留めたり等にしてもよい。
上記実施例では、携帯端末用カバー本体部１上に直接バンドホール８やバンド部の設置としたが、装着部等に、例えば、ゴム、シリコン、布、テープ、ひも、合成樹脂、金属等の輪になる物を間接のバンドホール８として設けバンド部を通し固定させる、携帯端末用カバー本体部１上から間接的なバンドホール８とバンド部の設置等にしてもよい。
【符号の説明】
【００２７】
１  本発明の携帯端末用カバー本体部
１−１  内側左面、１−２  内側右面、１−３  留め部、１−４  内側追加面、
１−５  外側背面、１−６  内側上面、１−７  内側下面、１−８  折り曲げ部
１−１００  携帯端末カバー内側部、１−２００  携帯端末カバー外側部、
２  バンド部、２−１  バンド部、３  携帯端末ケース、４  携帯端末、
５  面ファスナー、６  本体カメラホール、６−１  ケースカメラホール、
７  芯材、８  バンドホール、９  固定部
【図１】
2018046540.tif 000003
【図２】
2018046540.tif 000004
【図３】
2018046540.tif 000005
【図４】
2018046540.tif 000006
【図５】
2018046540.tif 000007
【図６】
2018046540.tif 000008
【図７】
2018046540.tif 000009
【図８】
2018046540.tif 000010
【図９】
2018046540.tif 000011
【図１０】
2018046540.tif 000012
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
折り畳み自在の材料で構成されたカバー本体部と、前記カバー本体部に装着されたバンド部とを有し、携帯端末と該携帯端末が固定される固定具との間に前記バンド部を挟み、前記固定具は側面と該側面に接続された背面を有し、前記固定具の側面及び背面と前記携帯端末との間に前記バンド部が挟まれて前記携帯端末が前記固定具に固定されることを特徴とする携帯端末用カバー。
【請求項２】
前記バンド部はゴムから構成されていることを特徴とする請求項１記載の携帯端末用カバー。
【請求項３】
前記バンド部は布から構成されていることを特徴とする請求項１記載の携帯端末用カバー。
【請求項４】
前記バンド部は輪状に形成されていることを特徴とする請求項１乃至３いずれかに記載の携帯端末用カバー。
【請求項５】
前記カバー本体部には孔が形成され、前記バンド部は前記孔に挿入されていることを特徴とする請求項４記載の携帯端末用カバー。
【請求項６】
前記カバー本体部と前記固定具とは相対的に移動自在とし、前記携帯端末に設けられたカメラが露出可能とした請求項１乃至５いずれか記載の携帯端末用カバー。
【請求項７】
前記カバー本体部は変形自在とし、前記携帯端末に設けられたカメラが露出可能とした請求項１乃至５いずれか記載の携帯端末用カバー。
【請求項８】
前記カバー本体部は、複数の携帯端末が装着可能であるように構成されている請求項１乃至７いずれか記載の携帯端末用カバー。